(57)【要約】【課題】紙葉類ケース用の仕切り具を、紙葉類の姿勢安定性に優れると共に紙葉類の表示機能も高い構成で提供する。【解決手段】仕切り具２７は、紙葉類ケース１の壁板１６，１９・・・に上から嵌め込まれるホルダー部２８と、収納空間２３の内部に入り込む仕切り部２９とから成っている。ホルダー部２８は前面部３０と後面部３１と連結仕切り部３２とを有しており、前面部３０は、紙葉類Ｐに関する表示を施すことが可能な広さ（縦横の寸法）を有している。前面部３０の下端と仕切り部２９の上端との間の上下間隔Ｈ１は、前後に隣り合った壁板１５・・・の高低差Ｈ２と同じか大きくなっている。このため、複数の仕切り具２７を互いに緩衝することなく前後に配置できる。【選択図】図２
2016069042.tif 000002
【特許請求の範囲】
【請求項１】
カタログや伝票のような紙葉類を上から抜き差し自在な上向きの収納空間が前後多列に形成された紙葉類ケースに装着して前記収納空間を左右に仕切る仕切り具であって、
前記収納空間の前端を規定する壁板に上から嵌め込むホルダー部と、前記収納空間に入り込む板状の仕切り部とから成っており、
前記ホルダー部は、前記壁板の手前に位置した前面部と、前記壁板の後ろに位置した後面部と、前記前面板と後面板とを繋ぐ連結部とから成っており、前記連結部の下端が前記紙葉類ケースにおける壁板の上面に当たるようになっており、かつ、前記ホルダー部の前面部は、人が視認できる表示を施し得るように少なくとも縦横数センチの広がりを持っていると共に、前記紙葉類ケースにおける壁板の上端面を挟んだ上下両側にはみ出るように設定れている一方、
前記ホルダー部の後面部は前面部の下端よりも下方に入り込んでおり、前記後面部に前記仕切り部を後ろ向き突設している、
紙葉類ケース用の仕切り具。
【請求項２】
前記仕切り部の上端は、前記ホルダー部における前面部の下端よりも上に位置しており、かつ、前記仕切り部における上端と前記ホルダー部における前面部の下端との間の上下間隔寸法を、前記紙葉類ケースにおいて収納空間の高さを段階的に変えている場合における隣り合った収納空間の高低差と同じかそれ以上に設定している、
請求項１に記載した紙葉類ケース用の仕切り具。
【請求項３】
前記前面部は縦長又は略正方形であり、前記仕切り部を、前記ホルダー部における裏面部の左端部又は右端部に寄せて設けている、
請求項１又は２に記載した紙葉類ケース用の仕切り具。
【発明の詳細な説明】
【技術分野】
【０００１】
本願発明は、パンフレット、カタログ、各種伝票帳票などを抜き差し自在に配置する紙葉類ケースに枝葉する仕切り具に関するものである。
【背景技術】
【０００２】
例えば、役所や銀行、郵便局、企業等で、カタログやパンフレット、各種案内、伝票、などを訪問者に提供するため、左右横長の収納空間を備えた紙葉類ケースが使用されている。収納空間は、例えば３〜５列のように前後多列になっていることが多く、左右長さが長い場合は，一体方式の仕切り板で収納空間を仕切っている場合もある。また、前後他列に構成している場合は、後ろに向けて高さを段階的に高くすることにより、紙葉類の視認性を良くしていることが多い。
【０００３】
さて、紙葉類ケースに収納する紙葉類の大きさ（横幅）は、例えばＡ４サイズ〜Ｂ６サイズ程度までまちまちであり、更に、独自の寸法のものを多く存在している。そこで、１つの収納空間に複数種類の紙葉類を左右に分けて収納することが行われているが、異なる種類の紙葉類が互いに混ざり合って、利用者に不便を強いたり不愉快な思いをさせたりすることがあった。また、収納空間が前後他列に形成されている場合、人は紙葉類の上端部を視認できるだけであるため、紙葉類の内容の確認に手間取ることもあった。
【０００４】
他方、特許文献１には、陳列装置の仕切り装置として、収納空間の手前に位置した板状の壁部材（横行部材）に上から嵌まる側面視下向き開口Ｕ型の係合部材と、係合部材から後ろ向きに突出した仕切り部材とで構成されたものが開示されており、この仕切り装置を紙葉類ケースに転用すると、複数種類の紙葉類を整理して収容できると推測される。
【先行技術文献】
【特許文献】
【０００５】
【特許文献１】特許第３０５５８８７号公報
【発明の概要】
【発明が解決しようとする課題】
【０００６】
特許文献１は紙葉類ケースに転用可能と云えるが、特許文献１の係合部材は壁部材の上端部に嵌まるだけであり、収納空間の上端部を僅かに仕切るに過ぎないため、紙葉類の腰が弱いと、下端部が仕切り部の下方から隣の空間に入り込んで、紙葉類が曲がったり傾いたりしやすいとう問題が懸念される。
【０００７】
また、特許文献１における仕切り装置の係合部材は壁部材に嵌まるだけの小さいものであるため、紙葉類の表示にはなんら貢献しておらず、従って、紙葉類の内容の確認の不便を解消するには至っていない。
【０００８】
本願発明はこのような現状に鑑み成されたものであり、仕切り機能に優れると共に紙葉類の表示機能も備えた仕切り具を提供せんとするものである。
【課題を解決するための手段】
【０００９】
本願発明は、カタログや伝票のような紙葉類を上から抜き差し自在な上向きの収納空間が前後多列に形成された紙葉類ケースに装着して前記収納空間を左右に仕切る仕切り具に関するものであり、この仕切り具は、前記収納空間の前端を規定する壁板に上から嵌め込むホルダー部と、前記収納空間に入り込む板状の仕切り部とから成っている。
【００１０】
そして、請求項１の発明では、前記ホルダー部は、前記壁板の手前に位置した前面部と、前記壁板の後ろに位置した後面部と、前記前面板と後面板とを繋ぐ連結部とから成っており、前記連結部の下端が前記紙葉類ケースにおける壁板の上面に当たるようになっており、かつ、前記ホルダー部の前面部は、人が視認できる表示を施し得るように少なくとも縦横数センチの広がりを持っていると共に、前記紙葉類ケースにおける壁板の上端面を挟んだ上下両側にはみ出るように設定されている一方、前記ホルダー部の後面部は前面部の下端よりも下方に入り込んでおり、前記後面部に前記仕切り部を後ろ向き突設している。
【００１１】
本願発明は、様々に展開できる。その例として請求項２では、前記仕切り部の上端は、前記ホルダー部における前面部の下端よりも上に位置しており、かつ、前記仕切り部における上端と前記ホルダー部における前面部の下端との間の上下間隔寸法を、前記紙葉類ケースにおいて収納空間の高さを段階的に変えている場合における隣り合った収納空間の高低差と同じかそれ以上に設定している。
【００１２】
また、請求項３の発明では、前記前面部は縦長又は略正方形であり、前記仕切り部を、前記ホルダー部における裏面部の左端部又は右端部に寄せて設けている。
【発明の効果】
【００１３】
本願の仕切り具は、仕切り部は収納空間に深く入り込んでいるため、紙葉類の姿勢安定性に優れている。すなわち、紙葉類の腰が弱くても、収納空間に上から差し込んで仕切り部に向けて移動させると、撓み変形することなく仕切り部で停止して、正確に位置決めされるのである。後面板も収納空間に深く入り込んでいるため、仕切り具自体の姿勢安定性にも優れている。
【００１４】
また、仕切り具の前面板は数センチ四方の広がりがあるため、紙葉類の内容等の表示を前面板に施すことで、利用者は即座に紙葉類の種類を理解できる。従って、利用者にとって便利である。
【００１５】
さて、紙葉類ケースに設けた前後他列の収納空間は、後ろに行くに従って高さを高くすることにより、各列の収納空間の紙葉類を見やすくしているのが普通である。他方、仕切り具は隣り合った収納空間に前後方向に重複した状態で配置することがあるが、ホルダー部の前面部は壁板の下方にも入り込んでいるため、後ろに位置した仕切り具におけるホルダー部の前面部が、手前に位置した仕切り具の仕切り部に当たると、仕切り具を前後に重複して配置できなくなってしまう。
【００１６】
この点、請求項２の構成を採用すると、仕切り部の上端と前面部の下端との間の高さが収納空間の高低差に納まるため、前後隣り合った収納空間に、仕切り具を前後方向に重複した状態で配置できる。従って、各収納空間の仕切り機能を損なうことがなくて、使い勝手がよい。
【００１７】
表示部として機能する前面部が左右横長の場合は、左右中間部に仕切り部を設けて、前面板の右半分と左半分とに別々の表示を施しても、表示とその後ろの紙葉類との対応関係は明確であるため、利用者は表示対象は峻別することができる。他方、表示部として機能する前面部が縦長や略正方形で１つの表示を施している場合、中中間部に仕切り部を設けると、右側の紙葉類の表示なのか左側の紙葉類の表示なのか対応関係が不明確になっていた。
【００１８】
この点、請求項３のように、仕切り部を左端部又は右端部に寄せて配置すると、前面部の全体がその後ろの紙葉類と前後に重なるため、表示と紙葉類との対応関係が明確になって、ユーザーフレンドリーである。
【図面の簡単な説明】
【００１９】
【図１】本願発明が適用される紙葉類ケースを備えた筆記台の斜視図である。
【図２】（Ａ）は１つの仕切り具を装着した紙葉類ケースの部分斜視図、（Ｂ）は仕切り具の斜視図である。
【図３】（Ａ）は図２（Ａ）のIIIA-IIIA 視断面図、（Ｂ）は（Ａ）のＢ−Ｂ視断面図である。
【図４】３段目にも仕切り具を設けた場合の側断面図である。
【図５】紙葉類ケースの種類を示す正面図である。
【図６】筆記台の別例の平面図である。
【図７】図６の筆記台の正面図である。
【発明を実施するための形態】
【００２０】
(1).筆記台・紙葉類ケース
次に、本願発明の実施形態を図面に基づいて説明する。図１では、本願発明が適用される紙葉類ケース１を備えた筆記台（テーブル）２を表示している。筆記台２は、左右の脚板３とこれらで支持された天板４、及び、天板４と同じ高さの背板５を備えており、天板４の上面と背板５の上面とは同じ高さになっている。
【００２１】
そして、天板４の左右２か所を左右横長に切欠くことにより、上向きに開口した左右２つのケース格納空間６を形成し、ケース格納空間６に紙葉類ケース１を上から嵌め込んでいる。机上面のうち左右の格納空間６の間には、時計７や印肉８、印鑑ブラシ９などの備品を載置できる。
【００２２】
筆記台２は、カバンや小物を載置できる棚板１０を備えている。棚板１０は筆記台２の内部空間のうち手前側に寄せて設けており、天板４と棚板７との間の空間は、中間幕板１１で塞がれている。棚板１０は平面視で前向き突状に形成されており、棚板の左右端部は脚板３の前端よりも後ろにずれている。このため、脚板３と棚板１０とによって抉り部１２が形成されている。そこで、抉り部１２に傘１３の柄を立てかけることで、傘１３や杖等の細長い物品を安定した姿勢に保持できる。
【００２３】
紙葉類ケース１は樹脂製で平面視長方形に形成されており、従って、前壁１５と後ろ壁１６、及び左右の側壁１７を有しており、前壁１５の後ろ壁１６との中途高さ部位にフランジ１８を設け、フランジ１８を天板４と背板５で支持している。実施形態では、紙葉類ケース１は中間高さよりも少し高い部分まで格納空間６に入り込でいる。
【００２４】
紙葉類ケース１の内部には、左右横長で鉛直姿勢の第１〜第４の中間壁１９〜２２が前後に並列配置されている。従って、紙葉類ケース１の内部は前後５列の収納空間２３に区画されている。この場合、第１中間壁１９から後ろ壁１６に向けて、一定の高低差Ｈ２で段階的に高くなっている。
【００２５】
図３（Ａ）に示すように、各収納空間２３は底板を２４を有しており、スポンジ製等のスペーサ２５を内部に嵌め込むことにより、紙葉類Ｐを所定の高さに設定できる。なお、紙葉類ケース１は射出成形によって製造することも可能であるし、樹脂板の貼り合わせによって製造することも可能である。或いは、板金製であってもよい。
【００２６】
(2).仕切り具
各収納空間２３の内部は、図２，３に示す仕切り具２７によって左右に仕切ることができる。仕切り具２３は、紙葉類ケース１の壁１５，１９〜２２に上から嵌め込み装着できるホルダー部２８と、ホルダー部２８の左端部に設けた仕切り部２９とから成っている。ホルダー部２８は、前面板３０と後面板３１とこれらを繋ぐ連結部３２とから成っている。連結部３２の下端が壁板の上面に当接するので、ホルダー部２８のうち連結部３２に対応した部分は、壁板１６・・・の上方に突出するはみ出し部になる。
【００２７】
仕切り具２７は、射出成形法で製造することも可能であるし、アクリル板等の樹脂板を貼り合わせて製造することも可能である。実施形態では、貼り合わせ方式で表示している。なお、貼り合わせ方式を採用する場合、連結部３２を前面板３０及び後面板３１よりも少し巾狭にして、連結部３２の箇所を横向きに開口した溝３３と成しておく、貼り付けの誤差による位置ずれを溝３３で吸収できるため、見栄えがよい利点がある。
【００２８】
前面板３０は、実施形態ではやや縦長の長方形であり、具体的には、例えば、横幅が５センチ程度で高さは６センチ程度とすることができる。従って、紙葉類Ｐの内容の表示を施すのに十分な面積になっている。勿論、縦横の寸法は必要に応じて任意に設定できる。表示の例としては、ラベルを貼着することや、ペンで直接書き込むことが挙げられる。連結部３２の高さは前面板３０の高さ寸法よりも大きくなっており、従って、仕切り具２７を前壁板１５に装着した状態で、前面板３０は、前壁板１５の上端面の下方よりも上方に大きく張り出している。
【００２９】
ホルダー部２８の後面板３１は、前面板３０の高さの２倍程度の長さになっている。このため、収納空間２３の内部に深く入り込んでいる。仕切り部２９の上端は連結部２３の下端と概ね同じ高さになって、下端は後面板３１の下端と同じに揃えられている。図面では、前面板３０及び後面板３１を壁板１５に密着させているが、実際には、若干のクリアランスを設けている。図４から理解できるように、仕切り具２７は、前壁板１５のみならず、任意の壁板１９〜２２，１６に取り付けることができる。
【００３０】
仕切り部２９の上端は、連結部２３の下端と略同じ高さ位置になっている。そして、仕切り部２９の上端と前面板３の下端との高さ寸法Ｈ１を、紙葉類ケース１における前後収納空間２３の高低差Ｈ２と同じか少し小さい寸法に設定している。また、前面板３０は、連結部２３の上端の上下に広がっているが、連結部２３の上端の下方よりも上方の側に大きく広がっている。従って、表示部として機能し得る前面部３０は、端板１５・・・の上方に大きく突出した状態に配置される。
【００３１】
仕切り具２７の仕切り部２９で収納空間２３を左右に仕切ることにより、紙葉類Ｐを左右に分けて整理して収納できる。この場合、仕切り部２９は収納空間２３の内部に深く入り込んでいるため、紙葉類Ｐの姿勢安定性に優れており、しかも、ベース板５はホルダー部２８の後面板３１に設けているため、強度にも優れていて破損し難い。
【００３２】
そして、ホルダー部２８の前面は広い面積になっていて各種の表示を施すことができるため、利用者は、各種の紙葉類Ｐの内容を容易に理解することができて、所望のものを即座に取り出すことができる。この場合、ホルダー部２８は取り付けた壁板の上方に大きくはみ出ており、表示部となる前面板３０が表示する紙葉類Ｐの上下に跨がっているため、表示面積を大きくして高い表示機能を発揮している。
【００３３】
また、仕切り部２９の上端と前面板３の下端との高さ寸法Ｈ１が、紙葉類ケース１における前後収納空間２３の高低差Ｈ２と同じか少し小さい寸法に設定されているため、図４に示すように、複数種類の仕切り具２７を前後に隣り合った収納空間２３に重複した姿勢で配置しても、後ろに位置した仕切り具２７の前面板３０が、手前に位置した仕切り具２７の仕切り部２９に緩衝することはなくて、それぞれの収納空間２３の仕切り機能を発揮できる。従って、使い勝手がよい。
【００３４】
仕切り具２７は、様々に具体化できる。例えば、前面部３０を縦横の比率が１．５倍以上程度の横長に形成して、仕切り部を左右中間部に配置することにより、１つの前面部に２種類の表示を施すことが可能である。前面部の横幅と後面部の横幅とを異ならせることも可能である。
【００３５】
(3).紙葉類ケース及び筆記台のバリエーション
図５では、参考として、紙葉類ケース１の別例を表示している。このうち（Ａ）で示すのは、Ａ４判に対応したものであり、複数の収納空間２３の全部にＡ４判の紙葉類Ｐを収納することも可能であるが、１つ又は複数の収納空間２３に、Ａ４よりも狭い横巾の紙葉類（例えば伝票類）Ｐ１，Ｐ２を並べて収納できる。紙葉類Ｐ１，Ｐ２の高さが相違する場合は、図３（Ａ）に表示したスペーサ２５で高さを調節したらよい。
【００３６】
図５（Ｂ）に示す紙葉類ケース１は、Ａ４判１枚よりは大きくして２枚よりは小さい横は巾寸法に設定している。従って、Ａ４判の紙葉類と他の紙葉類とを並べて配置することも可能であるし、Ａ４よりも小さい寸法の紙葉類Ｐ３，Ｐ４を並べて配置することもできる。
【００３７】
図５（Ｃ）では、Ａ４判の２種類の紙葉類Ｐを左右に並べて配置できる横幅になっている。従って、Ａ４判の２種類の紙葉類Ｐ５と、これより小さい横幅の２種類の紙葉類Ｐ６，Ｐ７とを並べて配置することなどが可能である。いずれにしても、ユーザーが必要に応じて様々な横幅の紙葉類Ｐを収納することができる。
【００３８】
図６，７では、天板４を平面視小判形に形成した筆記台２を表示している。この例では、２組ずつの紙葉類ケース１を背中合わせに配置している。本願発明は、様々な形態の筆記台に枝葉する様々な形態の紙葉類ケースに適用できる。
【産業上の利用可能性】
【００３９】
本願発明は、実際に具体化して使用に供することができる。従って、産業上利用できる。
【符号の説明】
【００４０】
Ｐ  紙葉類
１  紙葉類ケース
２  筆記台（テーブル）
１５，１６，１９〜２２  紙葉類ケースの壁板
２３  収納空間
２５  スペーサ
２７  仕切り具
２８  ホルダー部
２９  仕切り部
３０  前面部
３１  後面部
３２  連結部
【図１】
2016069042.tif 000003
【図２】
2016069042.tif 000004
【図３】
2016069042.tif 000005
【図４】
2016069042.tif 000006
【図５】
2016069042.tif 000007
【図６】
2016069042.tif 000008
【図７】
2016069042.tif 000009